(57)【要約】【課題】  深耕時の耕耘土の排出性能と、浅耕時のロータリ前方のカバー性能とを両立させ、且つ揺動操作が容易なロータリ耕耘装置におけるフロントカバーの取付構造を提供することを課題としている。【解決手段】  従来耕耘用のロータリの上方に、前後揺動自在に設けたメインカバーの後方に上下回動自在にリヤカバーを設け、上記メインカバーの前方に、メインカバー１４の揺動支点とは別の支点で揺動自在に支持してフロントカバー２８を設け、フロントカバー２８とメインカバー１４との間に、メインカバー１４の後方側への揺動によってフロントカバー２８の先端側を下降させ、メインカバー１４の前方側への揺動によってフロントカバー２８の先端側を上昇させるように、フロントカバー２８を揺動させる連動揺動機構を設けた。【選択図】図１
2005052067.tif 000002
【特許請求の範囲】
【請求項１】
耕耘用のロータリ（４）の上方に、前後揺動自在にメインカバー（１４）を設け、該メインカバー（１４）の後方に上下回動自在にリヤカバー（１６）を設け、上記メインカバー（１４）の前方にフロントカバー（２８）を設けたロータリ耕耘装置において、フロントカバー（２８）をメインカバー（１４）の揺動支点とは別の支点で揺動自在に支持し、フロントカバー（２８）とメインカバー（１４）との間に、メインカバー（１４）の後方側への揺動によってフロントカバー（２８）の先端側を下降させ、メインカバー（１４）の前方側への揺動によってフロントカバー（２８）の先端側を上昇させるように、フロントカバー（２８）を揺動させる連動揺動機構を設けたロータリ耕耘装置におけるフロントカバーの取付構造。
【請求項２】
ロータリ（４）側に駆動力を伝動する伝動ケース（８）側に、フロントカバー（２８）の揺動支点を設けた請求項１のロータリ耕耘装置におけるフロントカバーの取付構造。
【発明の詳細な説明】
【技術分野】
【０００１】
本発明は、ロータリ耕耘装置におけるフロントカバーの取付構造に関する。
【背景技術】
【０００２】
従来耕耘用のロータリの上方に、前後揺動自在にメインカバーを設け、該メインカバーの後方に上下回動自在にリヤカバーを設け、上記メインカバーの前方にフロントカバーを設け、メインカバーに対するフロントカバーの位置や状態を調節することができるロータリ耕耘装置が公知となっている（例えば特許文献１及び特許文献２参照）。
【０００３】
これによりメインカバーを後方側に揺動させる浅耕作業において、ロータリの前方側をフロントカバーによって覆い、前方側への泥跳ねや、持回り土の飛散等を防止したり、メインカバーを前方側に揺動させる深耕作業において、ロータリの前方側を空け、耕耘土の排出を円滑に行わせ、深耕作業を円滑に行わせるということが行われている。
【特許文献１】実開昭６４−２８８０４号公報
【特許文献２】実開昭５８−１５２８０７号公報
【発明の開示】
【発明が解決しようとする課題】
【０００４】
しかし特許文献１のフロントカバーは、メインカバーの揺動支点と同じロータリ軸を揺動支点として、リンクロッドを介して揺動操作される構成となっており、フロントカバーから揺動支点までの距離が長く、フロントカバーを揺動させるために大きな力が必要となる他、リンクロッドにより揺動機構が複雑化し、特に特許文献１の場合、片側のリンクロッドにより左右ねじれ等が発生し、フロントカバーの揺動を円滑に行うことが困難であるという欠点があった。
【０００５】
一方特許文献２のフロントカバーは、フロントカバーを可撓性を有する材料で形成し、前端側を捲りあげるようにして姿勢を変更する構成となっており、構造が複雑である他、メインカバーの揺動量に対してフロントカバーの前方側に姿勢変更量が小さく、深耕時の耕耘土の排出性能と、浅耕時のロータリ前方のカバー性能とを両立させることは容易ではないという欠点があった。
【課題を解決するための手段】
【０００６】
上記課題を解決するための本発明のロータリ耕耘装置におけるフロントカバーの取付構造は、耕耘用のロータリ４の上方に、前後揺動自在にメインカバー１４を設け、該メインカバー１４の後方に上下回動自在にリヤカバー１６を設け、上記メインカバー１４の前方にフロントカバー２８を設けたロータリ耕耘装置において、フロントカバー２８をメインカバー１４の揺動支点とは別の支点で揺動自在に支持し、フロントカバー２８とメインカバー１４との間に、メインカバー１４の後方側への揺動によってフロントカバー２８の先端側を下降させ、メインカバー１４の前方側への揺動によってフロントカバー２８の先端側を上昇させるように、フロントカバー２８を揺動させる連動揺動機構を設けたことを第１の特徴とする。
【０００７】
第２にロータリ４側に駆動力を伝動する伝動ケース８側に、フロントカバー２８の揺動支点を設けたことを特徴とする。
【発明の効果】
【０００８】
以上のように構成される本発明の構造によると、メインカバーの前後揺動に伴って、フロントカバーが自動的に揺動され、メインカバーの後方側への揺動によってフロントカバーの先端側が下降し、メインカバーの前方側への揺動によってフロントカバーの先端側が上昇するため、メインカバーを後方側に揺動させる浅耕作業において、ロータリの前方側をフロントカバーが大きく覆い、前方側への泥跳ねや、持回り土の飛散等を防止することができ、メインカバーを前方側に揺動させる深耕作業においては、フロントカバーが上方側に退避し、耕耘土の排出が円滑に行われ、深耕作業を円滑に行うことができるという効果がある。
【０００９】
このときフロントカバーの揺動支点は、メインカバーの揺動支点とは別に設けられるため、フロントカバーの揺動支点をフロントカバーに近い位置に配置することによって、フロントカバーを比較的小さな力で揺動させることができ、連動揺動機構をカム等によって簡単に構成することができるという利点もある。特にフロントカバーの揺動支点を伝動ケース側に設けることによって、該揺動支点をメインカバーの上方側におけるフロントカバーに近接した位置に設けることができる他、揺動支点を強固に且つ簡単に設けることができる。
【発明を実施するための最良の形態】
【００１０】
次に本発明の１実施形態を図面に基づいて説明する。図１，図２は本発明のフロントカバーの取付構造を採用したロータリ耕耘装置１の側面部分断面図及び平面図であり、トラクタ等の走行車両２の後方に３点リンクヒッチ３を介して昇降自在に連結され、上記走行車両２の走行に伴いロータリ４によって圃場の耕耘作業を行う従来公知のものとなっている。
【００１１】
上記ロータリ耕耘装置１は、走行車両２側よりＰＴＯ動力が入力されるギヤケース６からパイプフレーム７が左右に突出しており、該パイプフレーム７の一方（左）の外端部にチェーンケース８が、他方（右）の外端部にサイドフレーム９がそれぞれ一体的に設けられている。
【００１２】
そして上記サイドフレーム９とチェーンケース８の下部間には、複数の耕耘爪１１が取り付けられた爪軸１２が、チェーンケース８を介してギヤケース６より入力される駆動力によって回転駆動されるように軸支されており、この耕耘爪１１や爪軸１２等によって前述のロータリ４が構成されている。そして爪軸１２の回転駆動によってロータリ４（耕耘爪１１）が回転し、圃場の耕耘作業を行う。
【００１３】
このとき上記ロータリ４は、側面視で耕耘爪１１の先端の回転軌跡に沿った円弧状をなすメインカバー１４によって上方側が、またメインカバー１４の後端側に、上下揺動自在に取り付けられたリヤカバー１６によって後方側がそれぞれ覆われており、メインカバー１４はロータリ４による耕耘土を前方に持ち回り、耕耘時の砕土性を向上させ、リヤカバー１６は、耕耘土に押接して耕耘面の均平を行う。なお耕耘深さはロータリ耕耘装置１の昇降によって決定される。
【００１４】
上記メインカバー１４は、円弧状の天板２３を母体としており、該天板２３の左右両端に設けられた側板２４の下端部分が、チェーンケース８又はサイドフレーム９側の爪軸１２の軸受部側に前後回動自在に支持されている。そして上記メインカバー１４は、ブラケット２６を介してギヤケース６に取り付けられたトップマスト１７側に前後揺動自在に設けられたレバー３１にリンクアーム３０を介して連結されている。
【００１５】
これによりレバー３１の前後揺動操作によって、メインカバー１４を爪軸１２周りに前後回動させ、メインカバー１４を耕耘深さに応じた位置に位置調節することができる。なおリヤカバー１６は、加圧ロッド２７を介してメインカバー１４に上下揺動自在に軸支されており、上記メインカバー１４の回動（揺動）時には、メインカバー１４と一体的に前後揺動し、メインカバー１４に対して上下揺動を行う。
【００１６】
そして耕耘深さを深くとる深耕作業の場合は、多量に発生する耕耘土の後方への円滑な排出を行う等のためにメインカバー１４を前方側に回動させ、ロータリ４の後方のスペースを大きく空け、また代掻き耕耘のような耕耘深さを浅くとる浅耕作業の場合は、耕耘土を円滑に持回らせる等のために、メインカバー１４を後方側に回動させ、ロータリ４の後方のスペースを小さくする。
【００１７】
一方図１〜図３に示されるように、メインカバー１４の上方位置には、平面視において一部がメインカバー１４（天板２３）と重複し、メインカバー１４より前方に突出するフロントカバー２８が設けられている。そして該フロントカバー２８は、前後方向の間において左右両端面２８ａから支点軸２９が突出されており、該支点軸２９が、上記チェーンケース８とサイドフレーム９から前方に突出して設けられる支持プレート３２に軸支されて、ロータリ耕耘装置１側に上下揺動自在に支持されている。
【００１８】
なおフロントカバー２８は側面視において円弧状に湾曲しており、先端がメインカバー１４の先端より前方に突出している。また左右両端面２８ａの後端部分にはローラ３３が回転自在に取り付けられており、該ローラ３３は周面が、カム面３４として形成されたメインカバー１４における側板２４の上端面に接することができるように設けられている。
【００１９】
そしてフロントカバー２８の左右両端面２８ａ側には、ねじりバネ３６が設けられており、フロントカバー２８は上記ローラ３３が常時カム面３４（側板２４の上端面）に押接されるようにねじりバネ３６によって付勢されている。これによりフロントカバー２８はメインカバー１４の前後揺動時には、ローラ３３がカム面３４に沿うことによって上下揺動させられる。
【００２０】
そして上記カム面３４は、メインカバー１４の前端側で上方に山状に突出するような形状となっており、メインカバー１４を後方に回動させると、フロントカバー２８は、カム面３４の上記山状の突起部３４ａによって、後端が持ち上げられ、図４に示されるように前端が下方に揺動せしめられ、圃場との間のスペースａ１及びロータリ４との間隔ｂ１を小さくして、ロータリ４の前方側をロータリ４に近接しながら大きく覆う。
【００２１】
またフロントカバー２８の前端が下方に揺動された上記状態から、メインカバー１４を前方に揺動させると、ローラ３３が上記突起部３４ａを降り、フロントカバー２８の後端が下方に揺動され、図２に示されるように、フロントカバー２８の前端が上方に揺動されて持ち上げられ、圃場との間のスペースａ２及びロータリ４との間隔ｂ２を大きくして、メインカバー１４の前方側においてロータリ４から離反するように、フロントカバー２８が上方側に退避し、ロータリ４の前方空間を大きく空ける。このときフロントカバー２８は、ロータリ４の回転軌跡に略沿い、ロータリ４の前方空間は、圃場面側に向く（下向き）。
【００２２】
以上のようにフロントカバー２８はメインカバー１４の前後揺動に応じて連動して揺動し、ローラ３３とカム面３４によるカム機構が、上記のようにフロントカバー２８をメインカバー１４の前後回動に連動して揺動させる連動揺動機構を構成する。そしてフロントカバー２８の揺動は、メインカバー１４の回動に伴って自動的に揺動される。
【００２３】
これによりメインカバー１４を後方側に回動させる浅耕作業においては、ロータリ４の前方側が自動的にフロントカバー２８によって大きく覆われ、前方側への泥水跳ねや、持回り土の飛散等を防止される。またメインカバー１４を前方側に揺動させる深耕作業においては、フロントカバー２８が自動的に上方側に退避することによって、ロータリ４の前方側においても耕耘土の排出が円滑に行われ、深耕作業を円滑に行うことができる。
【００２４】
このときフロントカバー２８の支点軸２９は、メインカバー１４の揺動支点（ロータリ軸１２）とは別に、メインカバー１４の上方側におけるメインカバー１４の前端位置とフロントカバー２８とに近い位置に設けられ、ギヤケース８とサイドカバー９側に支持されている。これにより上記のようにフロントカバー２８をメインカバーの前後揺動に連動して揺動させる連動揺動機構（カム機構）に近い位置に支点軸２９が位置し、フロントカバー２８を比較的小さな力で揺動させることができ、換言するとフロントカバー２８を比較的小さな力で揺動させることができることによって、上記連動揺動機構をカム機構によって簡単に構成することができる。
【００２５】
このため連動揺動機構を簡単に構成することができ、フロントカバー２８の構成を簡単且つ小型化することができ、フロントカバー２８にかかるコストを下げることができるとともに、フロントカバー２８の駆動機構の故障を少なくすることができる。なおフロントカバー２８は、大きなトルクがかかるロータリ４を支持するギヤケース８とサイドフレーム９側に支持されているため、支点軸２９の支持は安定し、また支点軸２９をメインカバー１４の上方側におけるフロントカバー２８に近接した位置に容易に設けることを可能とする。そして連動揺動機構がカム機構からなるため、フロントカバー２８の揺動作動中の支持も安定し、フロントカバー２８の自動揺動は安定して行われる。
【００２６】
さらに支点軸２９は、前後位置においてフロントカバー２８の後端寄り設けられており、フロントカバー２８の前端は、支点軸２９から比較的長い距離離れている。このためフロントカバー２８の前端は、後端側の揺動角度（揺動量）に比較して大きく揺動し（揺動量を大きくとれ）、且つ前述のようにロータリ４に対して近接及び離反しながら揺動するため、深耕時の耕耘土の排出性能と、浅耕時のロータリ４前方のカバー性能とを両立させることができる。
【図面の簡単な説明】
【００２７】
【図１】深耕時のロータリ耕耘装置の側面部分透視図である。
【図２】ロータリ耕耘装置の平面図である。
【図３】フロントカバーの連結部分の平面図である。
【図４】浅耕時のロータリ耕耘装置の側面部分透視図である。
【符号の説明】
【００２８】
４      ロータリ
８      チェーンケース（伝動ケース）
１４    メインカバー
１６    リヤカバー
２８    フロントカバー
【図１】
2005052067.tif 000003
【図２】
2005052067.tif 000004
【図３】
2005052067.tif 000005
【図４】
2005052067.tif 000006